(57)【要約】【課題】  仮止め機能を備えながら、上辺中央部と両端部とを同一平面としたハンガーレールを取付可能とし、かつハンガーレールと取付面との間隔を増大させることのない日射遮蔽装置の取付装置を提供する。【解決手段】  ホルダー２１とスライドブロック２２との間に、付勢手段２３と、スライドブロック２２を付勢手段の付勢力に抗して仮止め位置に保持する仮止め手段と、仮止め手段の動作を解除する解除手段とを備え、仮止め手段はホルダーに設けた係止孔２８ｂとスライドブロックの弾性片３３の先端部に設けられ係止孔２８ｂに弾性的に係合する仮止め部３４ａとを備え、弾性片の先端部に設けられた解除手段を支持形材で押圧することにより仮止め部と係止孔との係合を解除する解除部３４ｂを備え、解除部をホルダー２１に係合しない位置に設けた。【選択図】      図１
2006249880.tif 000002
【特許請求の範囲】
【請求項１】
ホルダーに対しスライドブロックを移動可能に支持し、前記ホルダーとスライドブロックに設けられた掛止部で日射遮蔽装置の支持形材を支持可能とし、前記ホルダーとスライドブロックとの間には、該スライドブロックを前記支持形材の支持位置に向かって付勢する付勢手段と、前記スライドブロックを前記付勢手段の付勢力に抗して前記支持形材と係合しない仮止め位置に保持する仮止め手段と、前記仮止め手段の動作を解除する解除手段とを備えた日射遮蔽装置の取付装置において、
前記仮止め手段は、
前記ホルダーに設けた係止孔と、
前記スライドブロックに設けた弾性片と、
前記弾性片の先端部に設けられ、前記係止孔に弾性的に係合する仮止め部と
を備え、
前記解除手段は、
前記弾性片の先端部に設けられ、前記支持形材で押圧することにより前記仮止め部と前記係止孔との係合を解除する解除部を備え、
前記解除部を前記ホルダーに係合しない位置に設けたことを特徴とする日射遮蔽装置の取付装置。
【請求項２】
前記ホルダーには、前記スライドブロックの移動方向の両側に該スライドブロックを移動可能に支持する一対の支持片を設け、前記支持片間を下方に向かって開口し、前記係止孔を前記支持片に設け、前記解除部を前記支持片間に位置させたことを特徴とする請求項１記載の日射遮蔽装置の取付装置。
【請求項３】
前記支持形材には、前記スライドブロックが前記支持位置に移動したとき、前記解除部の押圧を解除して、前記弾性片を原位置に復帰させる凹条を設けたことを特徴とする請求項１又は２記載の日射遮蔽装置の取付装置。
【請求項４】
前記仮止め部は、前記弾性片の先端部に楔状の斜面及び返し部を形成して前記係止孔に係合可能とし、前記解除部には、前記スライドブロックを前記支持位置から仮止め位置に移動させるとき、前記凹条に当接して前記仮止め部の斜面と支持片との摩擦を軽減するように前記弾性片を撓ませる斜面を設けたことを特徴とする請求項３記載の日射遮蔽装置の取付装置。
【請求項５】
前記解除部の斜面と前記スライドブロックの移動方向との挟み角を、前記仮止め部の斜面と前記スライドブロックの移動方向との挟み角より大きくしたことを特徴とする請求項４記載の日射遮蔽装置の取付装置。
【請求項６】
前記ホルダーには、前記スライドブロックが支持位置に移動したとき、前記支持形材の凹条に係合して横ずれを阻止する横ずれ阻止部を設けたことを特徴とする請求項３乃至５のいずれか１項に記載の日射遮蔽装置の取付装置。
【請求項７】
前記横ずれ阻止部を、前記支持形材の前後方向両側に対しそれぞれ設けたことを特徴とする請求項６記載の日射遮蔽装置の取付装置。
【請求項８】
前記スライドブロックには、前記ホルダーの上辺に対し摺接する突部を設けたことを特徴とする請求項１乃至７のいずれか１項に記載の日射遮蔽装置の取付装置。
【発明の詳細な説明】
【技術分野】
【０００１】
この発明は、縦型ブラインド、横型ブラインド、ロールブラインド等の日射遮蔽装置を取付面に固定するための取付ブラケットに関するものである。
【背景技術】
【０００２】
縦型ブラインドのハンガーレールやロールブラインドの取付フレームを取付面に固定するための取付ブラケットは、ステンレス等の金属製のホルダーと、そのホルダーに移動可能に支持された合成樹脂製のスライドブロックと、コイルスプリング等の付勢手段とから構成される。そして、例えばハンガーレールの上縁部の一端をホルダーで支持し、他端を付勢手段の付勢力に基づいてスライドブロックで保持するようになっている。
【０００３】
このような取付ブラケットにおいて、ハンガーレールや取付フレームの取付作業を容易に行うために、スライドブロックの仮止め機能を備えたものがある。仮止め機能は、ハンガーレールや取付フレームの取付時に、スライドブロックをハンガーレールや取付フレームの保持位置から後退した位置に仮止めする。この状態でスライドブロックの解除片をハンガーレールや取付フレームで押圧することにより仮止め状態を解除し、付勢手段の付勢力によりスライドブロックをハンガーレールや取付フレームの保持位置に移動させるものである。
【０００４】
図１２は、上記のような従来の取付ブラケットでロールブラインドの取付フレームを取付面に固定する場合を示し、図１３は縦型ブラインドのハンガーレールを取付面に固定する場合を示す。
【０００５】
すなわち、図１２において、取付ブラケットはホルダー１とそのホルダー１に対し同図において左右方向に移動可能に支持されたスライドブロック２と、そのスライドブロック２を同図において右方に向かって付勢するコイルスプリングとから構成される。
【０００６】
この取付ブラケットで取付フレーム３を固定する場合には、取付面にホルダー１を固定した状態で、スライドブロック２を仮止め位置に移動させる。この状態で、取付フレーム３の一端部４ａをホルダー１の掛止部５に引っ掛け、その掛止部５を回動支点として取付けフレーム３の他端部４ｂを上方へ回動させる。
【０００７】
そして、他端部４ｂでスライドブロック２の解除片６を上方へ押圧すると、仮止め状態が解除されて、コイルスプリングの付勢力によりスライドブロック２が図１２に示す矢印Ｘ方向に移動し、同図に示すように、スライドブロック２の掛止部７により取付フレーム３の他端部４ｂが保持される。
【０００８】
また、図１３に示すように、ハンガーレール８を固定する場合には、同様にスライドブロック２を仮止め位置に移動させた状態で、ハンガーレール８の一端部９ａをホルダー１の掛止部５に引っ掛け、その掛止部５を回動支点としてハンガーレールの他端部９ｂを上方へ回動させる。
【０００９】
そして、他端部９ｂでスライドブロック２の解除片６を上方へ押圧すると、同様にして仮止め状態が解除されて、同図に示すように、スライドブロック２の掛止部７によりハンガーレール８の他端部９ｂが保持される。
【００１０】
このような取付ブラケットでは、ホルダー１でスライドブロック２を移動可能に支持し、かつ仮止め機能を具備するために、掛止部５，７間で、ホルダー１の高さ寸法を確保する必要がある。図１２に示すように、上方に開口する取付フレーム３を固定する場合には、ホルダー１の厚みの増大は問題ないが、図１３に示すように、ハンガーレール８を固定する場合には、ハンガーレール８の上辺中央部１０を凹ませる必要がある。
【００１１】
縦型ブラインドのハンガーレール８は、上記のように取付ブラケットで取付面に固定する場合と、取付面に直接ビス止めする場合がある。中央部１０を凹ませたハンガーレール８を取付面にビス止めすると、アルミ形材で形成されたハンガーレール８の中央部１０が撓み、その撓みに基づいてハンガーレール８の側辺が互いに近づく方向に撓み、ハンガーレール８が変形してしまう。上辺の両端部９ａ，９ｂと中央部１０とが同一平面であれば、このような不具合は生じない。
【００１２】
従って、上辺の両端部９ａ，９ｂと中央部１０とを同一平面としたハンガーレールを取付ブラケットで取付面に固定可能とすれば、取付ブラケットを使用する場合及び直にビス止めする場合のいずれにおいても、共通のハンガーレールが使用可能となる。
【００１３】
図１４は、上記のような取付ブラケットにおいて、ハンガーレールの上辺を平坦とするためにホルダー１の厚みを薄くした場合を示す。同図において、ホルダー１の両側にはスライドブロック２の移動方向に沿って支持片１１が形成され、スライドブロック２はその両側部が支持片１１に支持された状態でホルダー１に挿入される。
【００１４】
支持片１１の中間部には下方に開口する２つの係止孔１３ａ，１３ｂが設けられ、スライドブロック２の一側には弾性片１４が設けられる。そして、弾性片１４の先端部には仮止め用の第一の突部１５ａと、仮止め解除用の第二の突部１５ｂがスライドブロック２の移動方向に沿って直列に配設されている。
【００１５】
このような構成により、スライドブロック２をホルダー１に挿入し、第一の突部１５ａを係止孔１３ａに係合させると仮止め状態となる。この状態で係止孔１３ａから下方へ露出される第二の突部１５ｂをハンガーレールで押圧すると、弾性片１４が上方へ撓み、第一の突部１５ａが係止孔１３ａに係合している状態、すなわち仮止め状態が解除され、コイルスプリングの付勢力により、スライドブロック２は第一の突部１５ａが係止孔１３ｂ内に達するまで移動する。
【００１６】
そして、スライドブロック２の移動にともなってホルダー１の掛止部５とスライドブロック２の掛止部７との間でハンガーレールが保持される。
このとき、第二の突部１５ｂをハンガーレールと係合させ、かつ第一の突部１５ａと係止孔１３ａとの係合を解除するためのストロークを確保し得るように弾性片１４を撓ませる必要があることから、第二の突部１５ｂの高さ寸法を十分に確保する必要がある。
【００１７】
ところが、上記のような構成ではホルダー１の支持片１１と上辺１２との間隔が小さくなるため、図１５に示すように、第二の突部１５ｂをホルダー１内に挿入できなくなる。
特許文献１，２には、仮止め機能を備えた取付ブラケットが開示されている。
【特許文献１】特許０２６３０６１号公報
【特許文献２】特開２００３−８２９９号公報
【発明の開示】
【発明が解決しようとする課題】
【００１８】
図１２及び図１３に示す取付ブラケットでは、上辺の両端部及び中央部を同一平面としたハンガーレールに対応することができない。従って、取付ブラケットを使用して取付面にハンガーレールを固定する場合と、取付面にハンガーレールを直にビス止めする場合では、異なるハンガーレールを用意する必要がある。
【００１９】
また、取付ブラケットの掛止部５，７を下方に延長すれば、ハンガーレールの上辺を平坦化することはできるが、この場合にはハンガーレールの取付高さが下がることになる。すると、取付面とハンガーレールとの間隔が増大し、その隙間から光が洩れるという問題点がある。
【００２０】
この発明の目的は、仮止め機能を備えながら、上辺中央部と両端部とを同一平面としたハンガーレールを取付可能とし、かつハンガーレールと取付面との間隔を増大させることのない日射遮蔽装置の取付装置を提供することにある。
【課題を解決するための手段】
【００２１】
上記目的は、ホルダーに対しスライドブロックを移動可能に支持し、前記ホルダーとスライドブロックに設けられた掛止部で日射遮蔽装置の支持形材を支持可能とし、前記ホルダーとスライドブロックとの間には、該スライドブロックを前記支持形材の支持位置に向かって付勢する付勢手段と、前記スライドブロックを前記付勢手段の付勢力に抗して前記支持形材と係合しない仮止め位置に保持する仮止め手段と、前記仮止め手段の動作を解除する解除手段とを備えた日射遮蔽装置の取付装置において、前記仮止め手段は、前記ホルダーに設けた係止孔と、前記スライドブロックに設けた弾性片と、前記弾性片の先端部に設けられ、前記係止孔に弾性的に係合する仮止め部とを備え、前記解除手段は、前記弾性片の先端部に設けられ、前記支持形材で押圧することにより前記仮止め部と前記係止孔との係合を解除する解除部を備え、前記解除部を前記ホルダーに係合しない位置に設けた日射遮蔽装置の取付装置により達成される。
【発明の効果】
【００２２】
本発明によれば、仮止め機能を備えながら、上辺中央部と両端部とを同一平面としたハンガーレールを取付可能とし、かつハンガーレールと取付面との間隔を増大させることのない日射遮蔽装置の取付装置を提供することができる。
【発明を実施するための最良の形態】
【００２３】
以下、この発明を具体化した取付ブラケットの一実施の形態を図面に従って説明する。図１に示す取付ブラケットは、ステンレス等の金属で形成されるホルダー２１と、合成樹脂で成形されるスライドブロック２２と、付勢手段としてのコイルスプリング２３とで構成される。
【００２４】
ホルダー２１は、金属板の両側が下方へ直角に折り曲げられて側辺が形成され、その側辺の下端部は、さらに水平方向に対向するように直角に折り曲げられて、一対の支持片２４ａ，２４ｂが形成されている。そして、上辺と側辺及び支持片２４ａ，２４ｂにより、支持片２４ａ，２４ｂ間を開口した四角筒状に形成されて、スライドブロック２２を挿入可能となっている。
【００２５】
前記ホルダー２１の上辺中央部には、このホルダー２１を取付面にビス止めするための取付孔２５が２つ設けられている。
ホルダー２１の各側辺の前端部には、ハンガーレールあるいは取付フレームを掛止するための掛止部２６がそれぞれ形成されている。掛止部２６は、ホルダー２１の後方に向かって鉤型に突出している。
【００２６】
ホルダー２１の上辺一側には、前記コイルスプリング２３の一端を位置決めする位置決め片２７が形成されている。
前記一方の支持片２４ａの後部には、第一及び第二の係止孔２８ａ，２８ｂが仮止め手段として仕切り部４２を介して前後方向に隣接して形成されている。また、図７に示すように、支持片２４ａの上面において第一及び第二の係止孔２８ａ，２８ｂの周縁部には面取り４６が施されている。
【００２７】
支持片２４ａ側の側辺の前部には、前記スライドブロック２２の移動ストロークを規定する位置決め孔２９が形成されている。他方の支持片２４ｂの後部には、下方に向かって山形に突出する保持部３０がハンガーレールの横ずれ阻止部として形成されている。
【００２８】
前記スライドブロック２２の両側部には、ホルダー２１の上辺と支持片２４ａ，２４ｂとの間に挿入可能とした摺動部３１ａ，３１ｂが形成され、その摺動部３１ａ，３１ｂの下面の前後には、下方に向かって僅かに突出する突部３２ａ〜３２ｄがそれぞれ形成されている。
【００２９】
前記摺動部３１ａには、前後方向中間部から後方に延びる弾性片３３が形成され、その弾性片３３の先端部には第一及び第二の係止部３４ａ，３４ｂが形成されている。第一の係止部（仮止め部）３４ａは、スライドブロック２２をホルダー２１内に挿入したとき、支持片２４ａ上に位置し、第二の係止部（解除部、解除手段）３４ｂは支持片２４ａ，２４ｂ間に位置している。
【００３０】
図５に示すように、前記第一の係止部３４ａは後方に向かって突出する楔状に形成され、その返し部３５が第二の係止孔２８ｂに係合可能となっている。
前記第二の係止部は３４ｂは、図４に示すように、弾性片３３の先端部を支持片２４ａ，２４ｂ間まで延設した位置で形成され、図５に示すように前記第一の係止部３４ａと同方向に楔状となるように、下方に向かって三角形状に突出している。
【００３１】
そして、第二の係止部３４ｂの下端部は、支持片２４ａ，２４ｂの下面より下方位置まで突出され、その先端部の斜面の角度（スライドブロックの移動方向との挟み角）αは第一の係止部３４ａの先端部の斜面の角度βが１５度程度であるのに対し、約４５度に設定されている。
【００３２】
このような構成により、第二の係止部３４ｂを図５において上方へ押圧すれば、弾性片３３の先端部が上方へ撓み、その撓みに基づいて第一の係止部３４ａも上方へ移動するようになっている。
【００３３】
前記摺動部３１ａの中間部には、側方に向かって突出し、前記ホルダー２１の位置決め孔２９に係合可能としたストッパ３６が形成されている。このストッパ３６は、スライドブロック２２をホルダー２１に挿入するときホルダー２１の内側面に当接して内側へ撓み、図２に示すように、位置決め孔２９内に達すると原位置に復帰して、その位置決め孔２９内に突出するようになっている。従って、スライドブロック２２がホルダー２１内で移動すると、ストッパ３６が位置決め孔２９内で移動する。
【００３４】
スライドブロック２２の後端部には、前記ホルダー２１の掛止部２６と対向する掛止部３７が形成されている。また、スライドブロック２２の前端部には、このスライドブロック２２をホルダー２１内に向かって押圧するための操作凹部３８が形成されている。
【００３５】
図３に示すように、スライドブロック２２の上面には前記コイルスプリング２３を収容する収容溝３９が形成され、その収容溝３９内において、コイルスプリング２３の一端はホルダー２１の位置決め片２７に当接し、他端は収容溝３９の側壁に当接している。従って、スライドブロック２２の移動にともなってコイルスプリング２３が圧縮されると、そのコイルスプリング２３は、位置決め片２７を支点としてスライドブロック２２を前方へ押出す方向に付勢する。
【００３６】
前記ホルダー２１の掛止部２６と支持片２４ａ，２４ｂとの間には、ハンガーレールあるいは取付フレームの横ずれを阻止する押さえ部４０が形成されている。その押さえ部４０は、前記掛止部２６に対向する斜縁４１を備え、その下端部は支持片２４ａ，２４ｂより下方まで突出されている。
【００３７】
上記のような取付ブラケットを組み立てるには、コイルスプリング２３を収容溝３９内に収容した状態で、図１に示すように、スライドブロック２２をホルダー２１の前端部から挿入する。そして、ストッパ３６が位置決め孔２９まで達すると、その位置決め孔２９内に突出し、コイルスプリング２３の一端は位置決め片２７に当接して若干圧縮された状態となり、スライドブロック２２はコイルスプリング２３により前方へ付勢された状態となる。
【００３８】
この状態では、ストッパ３６は位置決め孔２９の前端縁に当接してそれ以上の移動が阻止されている。また、図２及び図４に示すように、第一の係止部３４ａの返し部３５は第一の係止孔２８ａ内に位置している。
【００３９】
この状態から、スライドブロック２２をさらにホルダー２１内に押し込むと、第一の係止部３４ａは後方へ移動し、第一の係止孔２８ａと第二の係止孔２８ｂ間の仕切り部４２を乗り越えて、第二の係止孔２８ｂに係合する。すると、コイルスプリング２３はさらに圧縮されて蓄勢されるが、第一の係止部３４ａの返し部３５が第二の係止孔２８ｂに係合して、コイルスプリング２３の付勢力によるスライドブロック２２の移動が阻止される。
【００４０】
この状態から、第二の係止部３４ｂが上方へ押圧されて、弾性片３３の先端部が上方に撓むと、第一の係止部３４ａと第二の係止孔２８ｂとの係合が解除され、スライドブロック２２はコイルスプリング２３の付勢力により前方へ移動する。
【００４１】
図５に示すハンガーレール４３は、この取付ブラケットを使用して取付面に取付可能とした支持形材の一例を示す。このハンガーレール４３の上辺の幅方向両端部には、前記掛止部２６，３７に係合する係合部４４がそれぞれ形成され、その係合部４４と上辺中央部は同一平面となるように形成される。
【００４２】
両係合部４４の先端の距離は、第一の係止部３４ａが第二の係止孔２８ｂに係合している状態での掛止部２６，３７の間隔より短くなるように設定され、第一の係止部３４ａと第二の係止孔２８ｂとの係合が解除されて、スライドブロック２２が移動したとき、掛止部２６，３７が両係合部４４に係合するように設定される。
【００４３】
また、前記係合部４４の近傍には、断面三角形状の凹条４５ａ，４５ｂがそれぞれ形成されている。この凹条４５ａ，４５ｂは、図６に示すように、一方の係合部４４をホルダー２１の掛止部２６に掛止めし、ハンガーレール４３の上辺をホルダー２１の支持片２４ａ，２４ｂに当接させたとき、前記押さえ部４０及び保持部３０に対応する位置に形成される。
【００４４】
次に、上記のように構成された取付ブラケットを使用してハンガーレール４３を取付面に固定するための操作を説明する。取付面は、窓の上枠等の水平面とする。
スライドブロック２２を挿入したホルダー２１を取付面に固定した状態で、スライドブロック２２を押圧して、図５に示すように、第一の係止部３４ａを第二の係止孔２８ｂに係合させる。すると、スライドブロック２２は仮止め位置となる。
【００４５】
この状態で、ハンガーレール４３の一方の係合部４４をホルダー２１の掛止部２６に引っ掛け、その掛止部２６を回動支点として他方の係合部４４を上方へ回動させ、ハンガーレール４３の上辺を水平方向とする。すると、第二の係止部３４ｂがハンガーレール４３の上辺で上方へ押圧されて弾性片３３の先端部が上方へ撓み、これにともなって第一の係止部３４ａと第二の係止孔２８ｂとの係合が解除される。
【００４６】
そして、コイルスプリング２３の付勢力によりスライドブロック２２が支持位置に移動して、図６に示すように、掛止部３７が係合部４４に係合する。この状態では、ハンガーレール４３が掛止部２６，３７で保持される。
【００４７】
また、第一の係止部３４ａの返し部３５は第一の係止孔２８ａ内に移動し、第二の係止部３４ｂは凹条４５ａ内に突出するため、弾性片３３は撓んだ状態が解消され、水平方向に延びる状態に復帰する。
【００４８】
このようにして、掛止部２６，３７でハンガーレール４３を保持した状態では、ハンガーレール４３上面の凹条４５ａに保持部３０が係合し、凹条４５ｂに押さえ部４０が係合する状態となる。従って、この状態でハンガーレール４３の前方から、すなわち図６に示す矢印Ａ方向から衝撃力が作用しても、ハンガーレール４３の同方向への横ずれが防止され、この取付ブラケットからのハンガーレール４３の脱落が防止される。
【００４９】
図６に示す状態から、ハンガーレール４３を取り外す場合には、スライドブロック２２を矢印Ｂ方向に押圧して、図５に示す仮止め位置まで移動させる。すると、掛止部３７と係合部４４との係合が解除されるため、ハンガーレール４３を取り外し可能となる。
【００５０】
スライドブロック２２を仮止め位置まで移動させるとき、第二の係止部３４ｂはハンガーレール４３の凹条４５ａの斜面に沿って上方へ移動され、弾性片３３の先端部が上方へ撓む。この動作にともなって第一の係止部３４ａも上方へ移動しながら後方へ移動するため、仕切り部４２との摩擦が軽減される。従って、仕切り部４２との摩擦による第一の係止部３４ａの削れが防止される。
【００５１】
図８及び図９は、上記のような取付ブラケットを使用して、ロールブラインドの取付フレーム３を固定する場合を示す。図８に示すように、スライドブロック２２を仮止め位置まで押圧した状態で、取付フレーム３の一端部４ａを掛止部２６に掛止めし、他端部４ｂを上方へ回動させる。
【００５２】
そして、他端部４ｂで第二の係止部３４ｂを押圧すると、スライドブロック２２が移動して、図９に示すように、取付フレーム３が掛止部２６，３７間に保持される。また、スライドブロック２２を仮止め位置まで移動させれば、取付フレーム３を取り外し可能となる。従って、上記ハンガーレール４３と同様に取付フレーム３を取付可能である。
【００５３】
図１０は、上記取付ブラケットを使用して、別のハンガーレール４７を取り付ける場合を示す。このハンガーレール４７は、一対のレール材４８ａ，４８ｂを合成樹脂で形成された連結部材４９で所定間隔毎に連結したものである。
【００５４】
このようなハンガーレール４７も同様な手順で取付可能である。このハンガーレール４７はレール材４８ａ，４８ｂが連結部材４９で連結されているので、前後方向すなわち矢印Ｃ，Ｄ方向からの衝撃に対する各レール材４８ａ，４８ｂの横ずれを防止する必要がある。
【００５５】
そして、矢印Ｃ方向からの衝撃に対しては押さえ部４０で横ずれを防止し、矢印Ｄ方向からの衝撃に対しては保持部３０で横ずれを防止可能である。
図１１（ａ）〜（ｃ）は、上記取付ブラケットを使用して取付可能としたハンガーレールの別例を示す。すなわち、上辺の両端部の係合部４４と上辺の中央部とが同一平面であり、その間に第二の係止部３４ｂの先端部を収容可能とし、かつ押さえ部４０及び保持部３０に係合する凹条５０を備えた構成とすればよく、凹条５０の形状は特に限定されない。
【００５６】
上記のように構成された取付ブラケットでは、次に示す作用効果を得ることができる。
（１）スライドブロック２２の仮止め機能を備えているので、ハンガーレールあるいは取付フレームの一端部をホルダー２１の掛止部２６に掛止めした状態で、他端部を上方へ回動させて第二の係止部３４ｂを押圧することにより、ハンガーレールあるいは取付フレームを取付面に容易に固定することができる。従って、複数の取付ブラケットを使用してハンガーレールあるいは取付フレームを取付面に固定する場合に、その取付作業を容易に行うことができる。
（２）ハンガーレールあるいは取付フレームを固定した状態から、スライドブロック２２を仮止め位置に移動させれば、ハンガーレールあるいは取付フレームを容易に取り外すことができる。
（３）スライドブロック２２の仮止め状態を解除するための第二の係止部３４ｂを、弾性片３３の先端部に形成しながら、支持片２４ａに係合しない位置に設けた。従って、ホルダー２１とスライドブロック２２の組み立て時に、第二の係止部３４ｂを支持片２４ａとホルダー２１の上辺との間に挿入する必要はない。この結果、ホルダー２１の上辺と支持片２４ａ，２４ｂとの間隔を小さくすることができる。
（４）ホルダー２１の上辺と支持片２４ａ，２４ｂとの間隔を小さくすることができるので、上辺の両端部と中央部とを同一平面としたハンガーレールを取付可能であり、ハンガーレールの上辺と取付面との間隔を小さくすることができる。
（５）取付ブラケットを使用して取付面に固定するハンガーレールと、取付面にビスで直に固定するハンガーレールとを共通化することができる。
（６）ハンガーレール４３には、同ハンガーレール４３の固定時に第二の係止部３４ｂを収容する凹条４５ａを設けたので、ハンガーレール４３の固定時には、弾性片３３を原位置に復帰させることができる。すなわち、弾性片３３を撓ませた状態で放置すると、ばね性が失われるが、ハンガーレール４３の固定時には弾性片３３の撓みを解除することができるので、ばね性の喪失を防止することができる。
（７）スライドブロック２２を仮止め位置に移動させるとき、第二の係止部３４ｂがハンガーレール４３の凹条４５ａの斜面に沿って移動して、弾性片３３を撓ませる。従って、第一の係止部３４ａと第一及び第二の係止孔２８ａ，２８ｂ間の仕切り部４２との摩擦を軽減して、第一の係止部３４ａの削れを防止することができる。
（８）第二の係止部３４ｂの先端部の斜面の角度αは、第一の係止部３４ａの先端部の斜面の角度βが支持片２４ａに対し１５度程度であるのに対し、約４５度に設定されているので、第二の係止部３４ｂは凹条４５ａの斜面に当接することにより、第一の係止部３４ａに先立って上方へ押し上げられる。従って、第一の係止部３４ａと仕切り部４２との摩擦を軽減して、第一の係止部３４ａの削れを防止することができる。
（９）ホルダー２１に設けた押さえ部４０をハンガーレール４３の上辺に設けた凹条４５ａに係合させたので、衝撃によるハンガーレール４３の横ずれを防止することができる。
（１０）ホルダー２１に設けた押さえ部４０と保持部３０をハンガーレール４７の各レール材４８ａ，４８ｂに係合させることにより、衝撃によるハンガーレール４７の横ずれを防止することができる。
（１１）スライドブロック２２の摺動部３１ａ，３１ｂの前後に突部３２ａ〜３２ｄを設け、この突部３２ａ〜３２ｄを支持片２４ａ，２４ｂに当接させて、支持片２４ａ，２４ｂ上を摺動させるようにした。従って、摺動部３１ａ，３１ｂと支持片２４ａ，２４ｂとを面接触させる場合に比して、摩擦を低減してスライドブロック２２をホルダー２１に対し円滑に移動させることができる。
（１２）突部３２ａ〜３２ｄを支持片２４ａ，２４ｂに当接させるので、スライドブロック２２の摺動部３１ａ，３１ｂの厚さと、ホルダー２１の支持片２４ａ，２４ｂと上辺との間隔との寸法精度を高くすることなく、ホルダー２１に対するスライドブロック２２のがたつきを防止することができる。
（１３）ロールブラインドの取付フレーム３を取付面に固定することができる。
（１４）ホルダー２１に対するスライドブロック２２のがたつきを防止することができるので、ホルダー２１を壁面等に垂直方向に取着する場合、すなわちロールブラインドの取付フレームを垂直方向の取付面に固定する場合に、取付フレームの倒れ、すなわち傾いて支持される状態の発生を防止することができる。
【００５７】
上記実施の形態は、以下の態様で実施してもよい。
・横型ブラインドあるいはプリーツカーテン等の日射遮蔽装置のヘッドボックスを取付面に固定する取付ブラケットとしても使用可能である。
【図面の簡単な説明】
【００５８】
【図１】取付ブラケットを示す分解斜視図である。
【図２】取付ブラケットを示す側面図である。
【図３】取付ブラケットを示す側面図である。
【図４】取付ブラケットを示す底面図である。
【図５】ハンガーレールの取付操作を示す断面図である。
【図６】ハンガーレールの取付操作を示す断面図である。
【図７】仕切り部を示す断面図である。
【図８】取付フレームの取付操作を示す断面図である。
【図９】取付フレームの取付操作を示す断面図である。
【図１０】ハンガーレール取付状態を示す側面図である。
【図１１】（ａ）〜（ｃ）はハンガーレールの別例を示す側面図である。
【図１２】従来の取付ブラケットを示す側面図である。
【図１３】従来の取付ブラケットを示す側面図である。
【図１４】従来の取付ブラケットを示す側面図である。
【図１５】従来の取付ブラケットを示す断面図である。
【符号の説明】
【００５９】
２１        ホルダー
２２        スライドブロック
２３        付勢手段（コイルスプリング）
２８ｂ        仮止め手段、仮止め部、係止孔（第二の係止孔）
３０        横ずれ阻止部（保持部）
３３        弾性片
３４ａ      仮止め手段、仮止め部（第一の係止部）
３４ｂ      解除手段、解除部（第二の係止部）
３５        返し部
４０        横ずれ阻止部（押さえ部）
４３，４７        支持形材（ハンガーレール）
４５ａ，４５ｂ，５０      凹条
【図１】
2006249880.tif 000003
【図２】
2006249880.tif 000004
【図３】
2006249880.tif 000005
【図４】
2006249880.tif 000006
【図５】
2006249880.tif 000007
【図６】
2006249880.tif 000008
【図７】
2006249880.tif 000009
【図８】
2006249880.tif 000010
【図９】
2006249880.tif 000011
【図１０】
2006249880.tif 000012
【図１１】
2006249880.tif 000013
【図１２】
2006249880.tif 000014
【図１３】
2006249880.tif 000015
【図１４】
2006249880.tif 000016
【図１５】
2006249880.tif 000017